(57)【特許請求の範囲】
【請求項１】
下記一般式［１］で示される正孔輸送材料。
一般式［１］
【化１】
0003640090.tif 000015
［式中、Ａは下記一般式［２］で示されるジアミン誘導体残基、Ｂは下記一般
式［３］で示される結合基をそれぞれ表す。ｎは１以上５０００以下の整数である。］
一般式［２］
【化２】
0003640090.tif 000016
［式中、Ｒ1〜Ｒ10は、水素原子、ハロゲン原子、置換もしくは未置換のアルキル基、置換もしくは未置換のアルコキシ基、置換もしくは未置換のチオアルコキシ基、シアノ基、アミノ基、モノまたはジ置換アミノ基、水酸基、メルカプト基、置換もしくは未置換のアリールオキシ基、置換もしくは未置換のアリールチオ基、置換もしくは未置換の芳香族環基、置換もしくは未置換の複素環基を表す（隣接した置換基同士で置換もしくは未置換の脂肪族環、置換もしくは未置換の芳香族環、置換もしくは未置換の複素環を形成しても良い。）。Ｘは、酸素原子、硫黄原子、セレン原子を表す。］
一般式［３］
【化３】
0003640090.tif 000017
［式中、Ｙ、Ｚは、それぞれ水素原子、ハロゲン原子、置換もしくは未置換のアルキル基、置換もしくは未置換の芳香族環基、置換もしくは未置換の複素環基を表す。また、ＸとＹで置換もしくは未置換の脂肪族環、置換もしくは未置換の芳香族環、置換もしくは未置換の複素環を形成しても良い。］
【請求項２】
一対の電極間に、一層または複数層の有機化合物薄膜よりなる発光層を備えた有機エレクトロルミネッセンス素子において、少なくとも一層が請求項１記載の正孔輸送材料を含有する層であることを特徴とする有機エレクトロルミネッセンス素子。
【請求項３】
導電性支持体上に、電荷発生材料および正孔輸送材料を使用してなる電子写真感光体において、正孔輸送材料が請求項１記載の正孔輸送材料であることを特徴とする電子写真感光体。
【発明の詳細な説明】
【０００１】
【産業上の利用分野】
本発明はジフェニルアミン構造を有する正孔輸送材料に関し、該ジフェニルアミン化合物は、感光材料、有機光導電材料として使用でき、さらに具体的には、平面光源や表示に使用される有機エレクトロルミネッセンス（ＥＬ）素子もしくは電子写真感光体等の正孔輸送材料として利用できる。
【０００２】
【従来の技術】
感光材料や正孔輸送材料として開発されている有機光導電材料は、低コスト、加工性が多様であり、無公害性などの多くの利点があり、多くの化合物が提案されている。例えば、オキサジアゾール誘導体（米国特許第３，１８９，４４７号）、オキサゾール誘導体（米国特許第３，２５７，２０３号）、ヒドラゾン誘導体（米国特許第３，７１７，４６２号、特開昭５４−５９，１４３号、米国特許第４，１５０，９７８号）、トリアリールピラゾリン誘導体（米国特許第３，８２０，９８９号、特開昭５１−９３，２２４号、特開昭５５−１０８，６６７号）、アリールアミン誘導体（米国特許第３，１８０，７３０号、米国特許第４，２３２，１０３号、特開昭５５−１４４，２５０号、特開昭５６−１１９，１３２号）、スチルベン誘導体（特開昭５８−１９０，９５３号、特開昭５９−１９５，６５８号）などの有機光導電性材料が開示されている。
【０００３】
正孔輸送材料を利用した技術の一つとしては、有機ＥＬ素子が挙げられる。有機物質を使用したＥＬ素子は、固体発光型の安価な大面積フルカラー表示素子としての用途が有望視され、多くの開発が行われている。一般にＥＬは発光層および該層をはさんだ一対の対向電極から構成されている。発光は、両電極間に電界が印加されると、陰極側から電子が注入され、陽極側から正孔が注入される。さらに、この電子が発光層において正孔と再結合し、エネルギー準位が伝導帯から価電子帯に戻る際にエネルギーを光として放出する現象である。
【０００４】
従来の有機ＥＬ素子は、無機ＥＬ素子に比べて駆動電圧が高く、発光輝度や発光効率も低かった。また、特性劣化も著しく実用化には至っていなかった。
近年、１０Ｖ以下の低電圧で発光する高い蛍光量子効率を持った有機化合物を含有した薄膜を積層した有機ＥＬ素子が報告され、関心を集めている（アプライド・フィジクス・レターズ、５１巻、９１３ページ、１９８７年参照）。
この方法は、金属キレート錯体を蛍光体層、アミン系化合物を正孔注入層に使用して、高輝度の緑色発光を得ており、６〜７Ｖの直流電圧で輝度は１００ｃｄ／ｍ2、最大発光効率は１．５ｌｍ／Ｗを達成して、実用領域に近い性能を持っている。
【０００５】
しかしながら、現在までの有機ＥＬ素子は、発光輝度や繰り返し使用時の発光安定性は未だ充分ではない。従って、より大きな発光輝度を持ち、発光効率が高く繰り返し使用時での安定性の優れた有機ＥＬ素子の開発のために、優れた正孔輸送能力を有し、耐久性のある正孔輸送材料の開発が望まれている。
【０００６】
さらに、正孔輸送材料を利用した技術としては、電子写真感光体が挙げられる。電子写真方式は、カールソンにより発明された画像形成法の一つである。この方式は、コロナ放電により感光体を帯電した後、光像露光して感光体に静電潜像を得、該静電潜像にトナーを付着させて現像し、得られたトナー像を紙へ転写することからなる。このような電子写真感光体に要求される基本的な特性としては、暗所において適当な電位が保持されること、暗所における電荷の放電が少ないこと、光照射により速やかに電荷を放電することなどが挙げられる。従来までの電子写真感光体は、セレン、セレン合金、酸化亜鉛、硫化カドミウムおよびテルルなどの無機光導電体が使用されてきた。これらの無機光導電体は、耐久性が高く、耐刷枚数が多いなどの利点を有しているが、製造コストが高く、加工性が劣り、毒性を有するなどの問題点が指摘されている。これらの欠点を克服するために有機化合物を使用した感光体の開発が行われているが、従来までの有機光導電材料を正孔輸送材料として用いた電子写真感光体は、帯電性、感度および残留電位などの電子写真特性が、必ずしも満足されているとは言えないのが現状であり、優れた電荷輸送能力を有し、耐久性のある正孔輸送材料の開発が望まれていた。
【０００７】
【発明が解決しようとする課題】
本発明の目的は、優れた正孔輸送能力を有し、耐久性のある正孔輸送材料を提供することにあり、さらにこの正孔輸送材料を使用することにより、繰り返し使用時での安定性の優れた有機ＥＬ素子、電子写真感光体等を提供することを目的とする。
【０００８】
【課題を解決するための手段】
本発明者らは鋭意検討した結果、一般式［１］で示される少なくとも一種の正孔輸送材料は、正孔輸送能力が大きく、これを用いて作製した有機ＥＬ素子もしくは電子写真感光体等の素子特性もしくは繰り返し使用時での安定性が優れていることを見いだし本発明に至った。
すなわち、本発明は、下記一般式［１］で示される正孔輸送材料に関する。
一般式［１］
【化４】
0003640090.tif 000002
［式中、Ａは下記一般式［２］で示されるジアミン誘導体残基、Ｂは下記一般式［３］で示される結合基をそれぞれ表す。ｎは１以上５０００以下の整数である。］一般式［２］
【化５】
0003640090.tif 000003
［式中、Ｒ1〜Ｒ10は、水素原子、ハロゲン原子、置換もしくは未置換のアルキル基、置換もしくは未置換のアルコキシ基、置換もしくは未置換のチオアルコキシ基、シアノ基、アミノ基、モノまたはジ置換アミノ基、水酸基、メルカプト基、置換もしくは未置換のアリールオキシ基、置換もしくは未置換のアリールチオ基、置換もしくは未置換の芳香族環基、置換もしくは未置換の複素環基を表す（隣接した置換基同士で置換もしくは未置換の脂肪族式環、置換もしくは未置換の芳香族環、置換もしくは未置換の複素環を形成しても良い。）。Ｘは、酸素原子、硫黄原子、セレン原子を表す。］
一般式［３］
【化６】
0003640090.tif 000004
［式中、Ｙ、Ｚは、それぞれ水素原子、ハロゲン原子、置換もしくは未置換のアルキル基、置換もしくは未置換の芳香族環基、置換もしくは未置換の複素環基を表す。また、ＸとＹで置換もしくは未置換の脂肪族式環、置換もしくは未置換の芳香族環、置換もしくは未置換の複素環を形成しても良い。］
【０００９】
更に、本発明は、一対の電極間に、一層または複数層の有機化合物薄膜よりなる発光層を備えた有機エレクトロルミネッセンス素子において、少なくとも一層が上記正孔輸送材料を含有する層であることを特徴とする有機エレクトロルミネッセンス素子に関する。
【００１０】
更に、本発明は、導電性支持体上に、電荷発生材料および正孔輸送材料を使用してなる電子写真感光体において、正孔輸送材料が上記正孔輸送材料であることを特徴とする電子写真感光体に関する。
【００１１】
本発明における一般式［２］で示される化合物のＲ1〜Ｒ10のうち、ハロゲン原子としては弗素、塩素、臭素、ヨウ素がある。置換もしくは未置換のアルキル基としては、メチル基、エチル基、プロピル基、ブチル基、ｓｅｃ−ブチル基、ｔｅｒｔ−ブチル基、ペンチル基、ヘキシル基、ヘプチル基、オクチル基、ステアリル基、トリクロロメチル基、トリフロロメチル基、シクロプロピル基、シクロヘキシル基、１，３−シクロヘキサジエニル基、２−シクロペンテン−１−イル基、２，４−シクロペンタジエン−１−イリデニル基等がある。置換もしくは未置換のアルコキシ基としては、メトキシ基、エトキシ基、プロポキシ基、ｎ−ブトキシ基、ｓｅｃ−ブトキシ基、ｔｅｒｔ−ブトキシ基、ペンチルオキシ基、ヘキシルオキシ基、ステアリルオキシ基、トリフロロメトキシ基等がある。置換もしくは未置換のチオアルコキシ基としては、メチルチオ基、エチルチオ基、プロピルチオ基、ブチルチオ基、ｓｅｃ−ブチルチオ基、ｔｅｒｔ−ブチルチオ基、ペンチルチオ基、ヘキシルチオ基、ヘプチルチオ基、オクチルチオ基等がある。
【００１２】
モノまたはジ置換アミノ基としては、メチルアミノ基、ジメチルアミノ基、エチルアミノ基、ジエチルアミノ基、ジプロピルアミノ基、ジブチルアミノ基、ジフェニルアミノ基、ビス（アセトオキシメチル）アミノ基、ビス（アセトオキシエチル）アミノ基、ビス（アセトオキシプロピル）アミノ基、ビス（アセトオキシブチル）アミノ基、ジベンジルアミノ基等がある。置換もしくは未置換のアリールオキシ基としては、フェノキシ基、ｐ−ｔｅｒｔ−ブチルフェニキシ基、３−フルオロフェニキシ基等がある。置換もしくは未置換のアリールチオ基としては、フェニルチオ基、３−フルオロフェニルチオ基等がある。置換もしくは未置換の芳香族環基としては、フェニル基、ビフェニレニル基、トリフェニレニル基、テトラフェニレニル基、３−ニトロフェニル基、４−メチルチオフェニル基、３，５−ジシアノフェニル基、ｏ−，ｍ−およびｐ−トリル基、キシリル基、ｏ−，ｍ−およびｐ−クメニル基、メシチル基、ペンタレニル基、インデニル基、ナフチル基、アズレニル基、ヘプタレニル基、アセナフチレニル基、フェナレニル基、フルオレニル基、アントリル基、アントラキノニル基、３−メチルアントリル基、フェナントリル基、トリフェニレニル基、ピレニル基、クリセニル基、２−エチル−１−クリセニル基、ピセニル基、ペリレニル基、６−クロロペリレニル基、ペンタフェニル基、ペンタセニル基、テトラフェニレニル基、ヘキサフェニル基、ヘキサセニル基、ルビセニル基、コロネニル基、トリナフチレニル基、ヘプタフェニル基、ヘプタセニル基、ピラントレニル基、オバレニル基等がある。
【００１３】
置換もしくは未置換の複素環基としては、チオニル基、フリル基、ピロリル基、イミダゾリル基、ピラゾリル基、ピリジル基、ピラジニル基、ピリミジニル基、ピリダジニル基、インドリル基、キノリル基、イソキノリル基、フタラジニル基、キノキサリニル基、キナゾリニル基、カルバゾリル基、アクリジニル基、フェナジニル基、フルフリル基、イソチアゾリル基、イソキサゾリル基、フラザニル基、フェノキサジニル基、ベンゾチアゾリル基、ベンゾオキサゾリル基、ベンズイミダゾリル基、２−メチルピリジル基、３−シアノピリジル基等があるが、上記置換基に具体的に限定されるものではない。
【００１４】
また、隣接した置換基同士で５ないし７員環の酸素原子、窒素原子、硫黄原子等が含まれてもよい脂肪族環、芳香族環、複素環を形成してもよく、これらの環の任意の位置にさらに置換基を有してもよい。
【００１５】
一般式［１］のＡで示される置換もしくは未置換の芳香族アミン誘導体残基の代表例を具体的に表１に例示するが、これらに限定されるものではない。
【００１６】
【表１】
0003640090.tif 000005
【００１７】
0003640090.tif 000006
【００１８】
0003640090.tif 000007
【００１９】
0003640090.tif 000008
【００２０】
一般式［３］で表されるＹ、Ｚの代表例としては、それぞれ独立にハロゲン原子、置換もしくは未置換のアルキル基、置換もしくは未置換の芳香族環基、置換もしくは未置換の複素環基等を示し、Ｒ1〜Ｒ10で示した置換基を表す。また、ＹとＺで置換もしくは未置換の脂肪族式環、置換もしくは未置換の芳香族環、置換もしくは未置換の複素環を形成しても良く、好ましい例としては、１，１−シクロプロピレン基、１，１−シクロブチレン基、１，１−シクロペンチレン基、１，１−シクロヘキシレン基、１，１−（４−メチル）シクロヘキシレン基、１，１−（３−メチル）シクロヘキシレン基、１，１−（２−メチル）シクロヘキシレン基、１，１−（２，４−ジメチル）シクロヘキシレン基、１，１−シクロヘプチレン基、１，１−シクロオクチレン基等がある。以下に代表例を具体的に表２に例示するが、これらに限定されるものではない。
【００２１】
【表２】
0003640090.tif 000009
【００２２】
0003640090.tif 000010
【００２３】
0003640090.tif 000011
【００２４】
本発明の一般式［１］で示される化合物は、例えば以下の方法により合成することができる。
酢酸溶媒中、置換もしくは未置換のアルデヒド、ケトン等の脂環式カルボニル化合物に、０．５〜４倍モルの置換もしくは未置換の芳香族アミン化合物を、メタンスルホン酸等の酸触媒と共に１００℃で３０時間脱水反応させて、一般式［１］で示される芳香族アミン重合体を合成する。また、本発明で用いられる酸触媒は、メタンスルホン酸の代わりに、トリフルオロ酢酸、ｐ−トルエンスルホン酸の様な有機酸、または、硫酸、塩酸、ルイス酸等も可能である。また、有機溶剤としては、酢酸の他に、１，４−ジオキサン、エーテル、石油エーテル等も使用できる。
【００２５】
本発明の化合物の代表例を表３に例示するが、本発明は以下の代表例に限定されるものではない。
【００２６】
【表３】
0003640090.tif 000012
【００２７】
本発明の正孔輸送材料は、同一層中で他の正孔もしくは電子輸送性化合物と混合して使用してもさしつかえない。本発明の化合物は正孔輸送性に優れているので、正孔輸送性材料として極めて有効に使用することができる。
【００２８】
有機ＥＬ素子は、陽極と陰極間に一層もしくは多層の有機薄膜を形成した素子である。一層型の場合、陽極と陰極との間に発光層を設けている。発光層は、発光材料を含有し、それに加えて陽極から注入した正孔もしくは陰極から注入した電子を発光材料まで輸送させるために正孔輸送材料もしくは電子輸送材料を含有しても良い。発光材料が、正孔輸送性もしくは電子輸送性を有している場合もある。多層型は、（陽極／正孔注入層／発光層／陰極）、（陽極／発光層／電子注入層／陰極）、（陽極／正孔注入層／発光層／電子注入層／陰極）の多層構成で積層した有機ＥＬ素子がある。一般式［１］の化合物は、どの素子構成においても好適に使用することが出来る。  一般式［１］の化合物は、大きな正孔輸送能力をもっているので、正孔注入層もしくは発光層のいずれの層においても、正孔輸送材料として使用できる。
【００２９】
発光層には、必要があれば、本発明の一般式［１］の化合物に加えて、発光物質、ドーピング材料、キャリア輸送を行う正孔輸送材料や電子輸送材料を使用することもできる。二層構造の場合、発光層と正孔注入層を分離している。この構造により、正孔注入層から発光層への正孔注入効率が向上して、発光輝度や発光効率を増加させることができる。この場合、発光のためには、発光層に使用される発光物質自身が電子輸送性であること、または発光層中に電子輸送輸送材料を添加することが望ましい。もう一つの層構成として、発光層と電子注入層による二層構造がある。この場合、発光物質自身が正孔輸送性であること、または発光層中に正孔輸送輸送材料を添加することが望ましい。
【００３０】
また、三層構造の場合は、発光層、正孔注入層、電子注入層を有し、発光層での正孔と電子の再結合の効率を向上させている。このように、有機ＥＬ素子を多層構造にすることにより、クエンチングによる輝度や寿命の低下を防ぐことができる。このような多層構造の素子においても、必要があれば、発光物質、ドーピング材料、キャリア輸送を行う正孔輸送材料や電子輸送材料を組み合わせて使用することが出来る。また、正孔注入層、発光層、電子注入層は、それぞれ二層以上で形成されても良い。
【００３１】
有機ＥＬ素子の陽極に使用される導電性物質としては、４ｅＶより大きな仕事関数を持つものが好適であり、炭素、アルミニウム、バナジウム、鉄、コバルト、ニッケル、タングステン、銀、金、白金、パラジウム等およびそれらの合金、ＩＴＯ基板、ＮＥＳＡ基板と称される酸化スズ、酸化インジウム等の酸化金属、さらにはポリチオフェンやポリピロール等の有機導電性樹脂が用いられる。
陰極に使用される導電性物質としては、４ｅＶより小さな仕事関数を持つものが好適であり、マグネシウム、カルシウム、錫、鉛、チタニウム、イットリウム、リチウム、ルテニウム、マンガン等およびそれらの合金が用いられるが、これらに限定されるものではない。陽極および陰極は、必要があれば二層以上の層構成により形成されていても良い。
【００３２】
有機ＥＬ素子では、効率良く発光させるために、少なくとも一方は素子の発光波長領域において充分透明であることが望ましい。また、基板も透明であることが望ましい。透明電極は、上記の導電性材料を使用して、蒸着やスパッタリング等の方法で所定の透光性を確保するように設定する。発光面の電極は、光透過率を１０％以上にすることが望ましい。
基板は、機械的、熱的強度を有し、透明であれば限定されるものではないが、例示すると、ガラス基板、ポリエチレン板、ポリエーテルサルフォン板、ポリプロピレン板等の透明性樹脂があげられる。
【００３３】
本発明に係わる有機ＥＬ素子の各層の形成は、真空蒸着、スパッタリング等の乾式成膜法やスピンコーティング、ディッピング等の湿式成膜法のいずれの方法を適用することができる。膜厚は特に限定されるものではないが、各層は適切な膜厚に設定する必要がある。膜厚が厚すぎると、一定の光出力を得るために大きな印加電圧が必要になり効率が悪くなる。膜厚が薄すぎるとピンホール等が発生して、電界を印加しても充分な発光輝度が得られない。通常の膜厚は５ｎｍから１０μｍの範囲が好適であるが、１０ｎｍから０．２μｍの範囲がさらに好ましい。
【００３４】
湿式成膜法の場合、各層を形成する材料を、クロロホルム、テトラヒドロフラン、ジオキサン等の適切な溶媒に溶解または分散して薄膜を形成するが、その溶媒はいずれであっても良い。また、いずれの薄膜においても、成膜性向上、膜のピンホール防止等のため適切な樹脂や添加剤を使用しても良い。
本発明において使用される樹脂としては、ポリスチレン、ポリカーボネート、ポリアリレート、ポリエステル、ポリアミド、ポリウレタン、ポリスルフォン、ポリメチルメタクリレート、ポリメチルアクリレート、セルロース等の絶縁性樹脂、ポリ−Ｎ−ビニルカルバゾール、ポリシラン等の光導電性樹脂、ポリチオフェン、ポリピロール等の導電性樹脂を挙げることができる。また、添加剤としては、酸化防止剤、紫外線吸収剤、可塑剤等を挙げることができる。
【００３５】
本発明の有機ＥＬ素子に使用できる発光材料またはドーピング材料としては、アントラセン、ナフタレン、フェナントレン、ピレン、テトラセン、コロネン、クリセン、フルオレセイン、ペリレン、フタロペリレン、ナフタロペリレン、ペリノン、フタロペリノン、ナフタロペリノン、ジフェニルブタジエン、テトラフェニルブタジエン、クマリン、オキサジアゾール、アルダジン、ビスベンゾキサゾリン、ビススチリル、ピラジン、シクロペンタジエン、キノリン金属錯体、アミノキノリン金属錯体、ベンゾキノリン金属錯体、イミン、ジフェニルエチレン、
ビニルアントラセン、ジアミノカルバゾール、ピラン、チオピラン、ポリメチン、
メロシアニン、イミダゾールキレート化オキシノイド化合物、キナクリドン、ルブレン等およびそれらの誘導体があるが、これらに限定されるものではない。
【００３６】
一般式［１］の正孔輸送材料と併せて使用できる正孔輸送材料としては、正孔を輸送する能力を持ち、発光層または発光物質に対して優れた正孔注入効果を有し、発光層で生成した励起子の電子注入層または電子輸送材料への移動を防止し、かつ薄膜形成能の優れた化合物が挙げられる。具体的には、フタロシアニン系化合物、ナフタロシアニン系化合物、ポルフィリン系化合物、オキサジアゾール、トリアゾール、イミダゾール、イミダゾロン、イミダゾールチオン、ピラゾリン、ピラゾロン、テトラヒドロイミダゾール、オキサゾール、オキサジアゾール、ヒドラゾン、アシルヒドラゾン、ポリアリールアルカン、スチルベン、ブタジエン、ベンジジン型トリフェニルアミン、スチリルアミン型トリフェニルアミン、ジアミン型トリフェニルアミン等と、それらの誘導体、およびポリビニルカルバゾール、ポリシラン、導電性高分子等の高分子材料等があるが、これらに限定されるものではない。
【００３７】
電子輸送材料としては、電子を輸送する能力を持ち、発光層または発光物質に対して優れた電子注入効果を有し、発光層で生成した励起子の正孔注入層または正孔輸送材料への移動を防止し、かつ薄膜形成能の優れた化合物が挙げられる。例えば、フルオレノン、アントラキノジメタン、ジフェノキノン、チオピランジオキシド、オキサジアゾール、ペリレンテトラカルボン酸、フレオレニリデンメタン、アントラキノジメタン、アントロン等とそれらの誘導体があるが、これらに限定されるものではない。また、正孔輸送材料に電子受容物質を、電子輸送材料に電子供与性物質を添加することにより増感させることもできる。
【００３８】
本発明の一般式［１］の化合物は、いずれの層に使用することができ、一般式［１］の化合物の他に、発光物質、発光補助材料、正孔輸送材料および電子輸送材料の少なくとも１種が同一層に含有されてもよい。
また、本発明により得られた有機ＥＬ素子の、温度、湿度、雰囲気等に対する安定性の向上のために、素子の表面に保護層を設けたり、シリコンオイル等を封入して素子全体を保護することも可能である。
以上のように、本発明では有機ＥＬ素子に一般式［１］の化合物を用いたため、発光効率と発光輝度を高くできた。また、この素子は熱や電流に対して非常に安定であり、さらには低い駆動電圧で実用的に使用可能の発光輝度が得られるため、従来まで大きな問題であった劣化も大幅に低下させることができた。
本発明の有機ＥＬ素子は、壁掛けテレビ等のフラットパネルディスプレイや、平面発光体として、複写機やプリンター等の光源、液晶ディスプレイや計器類等の光源、表示板、標識灯等へ応用が考えられ、その工業的価値は非常に大きい。
【００３９】
次に、本発明の一般式［１］で示される化合物を電子写真感光体として用いる場合について説明する。本発明の一般式［１］で示される化合物は、電子写真感光体の何れの層においても使用できるが、高い正孔輸送特性を有することから正孔輸送材料として使用することが望ましい。該化合物は正孔輸送材料として作用し、光を吸収することにより発生した電荷を極めて効率よく輸送でき、高速応答性の感光体を得ることができる。また、該化合物は、耐オゾン性、光安定性に優れているので、耐久性に優れた感光体を得ることができる。
【００４０】
電子写真感光体は、導電性基板上に電荷発生材料と、必要があれば電荷輸送材料を結着樹脂に分散させてなる感光層を設けた単層型感光体、導電性基板上に下引き層、電荷発生層、正孔輸送層の順に積層した、もしくは導電性基板または下引き層上に正孔輸送層、電荷発生層の順に積層した積層型感光体等がある。ここで、下引き層は必要がなければ使用しなくても良い。上記感光体は、必要があれば活性ガスからの表面保護およびトナーによるフィルミング防止等の意味でオーバーコート層を設けることも出来る。
【００４１】
電荷発生材料としては、ビスアゾ、キナクリドン、ジケトピロロピロール、インジゴ、ペリレン、ペリノン、多環キノン、スクアリリウム塩、アズレニウム塩、フタロシアニン、ナフタロシアニン等の有機化合物、もしくは、セレン、セレン−テルル合金、硫化カドミウム、酸化亜鉛、アモルファスシリコン等の無機物質が挙げられる。
【００４２】
感光体の各層は蒸着もしくは分散塗工方式により成膜することが出来る。分散塗工は、スピンコーター、アプリケーター、スプレーコーター、浸漬コーター、ローラーコーター、カーテンコーターおよびビードコーター等を用いて行い、乾燥は室温から２００℃、１０分から６時間の範囲で静止または送風条件下で行う。乾燥後の感光層の膜厚は単層型感光体の場合、５μｍから５０μｍ、積層型感光体の場合、電荷発生層は０．０１μｍから５μｍ、好ましくは０．１μｍから１μｍであり、正孔輸送層は５μｍから５０μｍ、好ましくは１０μｍから２０μｍが好適である。
【００４３】
単層型感光体の感光層、積層型感光体の電荷発生層もしくは正孔輸送層を形成する際に使用する樹脂は広範な絶縁性樹脂から選択出来る。また、ポリ−Ｎ−ビニルカルバゾール、ポリビニルアントラセンやポリシラン類などの有機光導電性ポリマーから選択出来る。好ましくは、ポリビニルブチラール、ポリアリレート、ポリカーボネート、ポリエステル、フェノキシ、アクリル、ポリアミド、ウレタン、エポキシ、シリコン、ポリスチレン、ポリ塩化ビニル、塩酢ビ共重合体、フェノールおよびメラミン樹脂等の絶縁性樹脂を挙げることが出来る。電荷発生層もしくは正孔輸送層を形成するために使用される樹脂は、電荷発生材料もしくは正孔輸送材料に対して、１００重量％以下が好ましいがこの限りではない。樹脂は２種類以上組み合わせて使用しても良い。また、必要があれば樹脂を使用しなくてもよい。また、電荷発生層を蒸着、スパッタリング等の物理的成膜法により形成させることも出来る。蒸着、スパッタリング法では、好ましくは１０-5Ｔｏｏｒ以下の真空雰囲気下で成膜することが望ましい。また、窒素、アルゴン、ヘリウム等の不活性ガス中で成膜することも可能である。
【００４４】
電子写真感光体の各層を形成する際に使用する溶剤は、下引き層や他の感光層に影響を与えないものから選択することが好ましい。具体的には、ベンゼン、キシレン等の芳香族炭化水素、アセトン、メチルエチルケトン、シクロヘキサノン等のケトン類、メタノール、エタノール等のアルコール類、酢酸エチル、メチルセロソルブ等のエステル類、四塩化炭素、クロロホルム、ジクロロメタン、ジクロロエタン、トリクロロエチレン等の脂肪族ハロゲン化炭化水素類、クロルベンゼン、ジクロルベンゼン等の芳香族ハロゲン化炭化水素類、テトラヒドロフラン、ジオキサン等のエーテル類等が用いられるがこれらに限られるものではない。
【００４５】
正孔輸送層は正孔輸送材料のみ、もしくは正孔輸送材料を絶縁性樹脂に溶解させた塗液を塗布すること、もしくは蒸着等の乾式成膜法により形成される。本感光体に使用される正孔輸送材料は、一般式［１］の化合物に加えて他の正孔輸送材料を組み合わせて使用することもできる。一般式［１］の化合物は、高分子量化されているので他の絶縁性樹脂を使用しなくても良いが、更に、耐熱性、耐磨耗性を向上させるために絶縁性樹脂を併用した場合においても、他の樹脂との相溶性が良く、形成された薄膜が結晶として析出しにくいので、感度、耐久性の向上のために有利である。
【００４６】
電子写真特性、画像特性等の向上のために、必要があれば基板と有機層の間に下引き層を設けることができ、下引き層としてはポリアミド類、カゼイン、ポリビニルアルコール、ゼラチン、ポリビニルブチラール等の樹脂類、酸化アルミニウム等の金属酸化物などが用いられる。
本発明の材料は、有機ＥＬ素子もしくは電子写真感光体等の正孔輸送材料としのみでなく、光電変換素子、太陽電池、イメージセンサー等有機光導電材料のいずれの分野においても好適に使用できる。
【００４７】
【実施例】
以下、本発明を実施例に基づきさらに詳細に説明する。
化合物（３）の合成方法
酢酸４０部中に、シクロヘキサノン１１部、４，４’−ジメトキシジフェニル−ｐ，ｐ’−ジアミノジフェニルエーテル１８部、およびメタンスルホン酸０．５部を入れ、１００℃にて２０時間加熱撹拌した。その後、５００部の水で希釈し、希水酸化ナトリウム水溶液で中和した。この後、酢酸エチルで抽出を行い、濃縮し、シリカゲルを用いたカラムクロマトグラフィーにより精製を行ない白色の蛍光を有する粉末１５部を得た。ＦＤ−ＭＳよる分子量分析により、化合物（３）であることを確認した。
【００４８】
実施例１
洗浄したＩＴＯ電極付きガラス板上に、トリス（８−ヒドロキシキノリン）アルミニウム錯体、化合物（１）、ポリカーボネート樹脂（帝人化成：パンライトＬ−１２５０）を３：２：５の比率でクロロホルムに溶解分散させ、スピンコーティング法により膜厚１００ｎｍの膜厚の発光層を得た。その上に、マグネシウムと銀を１０：１で混合した合金で、膜厚１５０ｎｍの電極を形成して有機ＥＬ
素子を得た。この素子は、直流電圧５Ｖで発光輝度１００ｃｄ／ｍ2、発光効率０．９ｌｍ／Ｗが得られた。
【００４９】
実施例２
洗浄したＩＴＯ電極付きガラス板上に、化合物（２）を真空蒸着して、膜厚３０ｎｍの正孔注入層を得た。次いで、トリス（８−ヒドロキシキノリン）アルミニウム錯体を真空蒸着して膜厚５０ｎｍの発光層を作成し、その上に、マグネシウムと銀を１０：１で混合した合金で膜厚１５０ｎｍの電極を形成して、有機ＥＬ素子を得た。正孔注入層および発光層は１０-6Ｔｏｒｒの真空中で、基板温度室温の条件下で蒸着した。この素子は、直流電圧５Ｖで発光輝度約４２０ｃｄ／ｍ2、発光効率３．２ｌｍ／Ｗが得られた。
【００５０】
実施例３
洗浄したＩＴＯ電極付きガラス板上に、化合物（３）を真空蒸着して、膜厚３０ｎｍの正孔注入層を得た。次いで、真空蒸着法によりトリス（８−ヒドロキシキノリン）アルミニウム錯体の膜厚２０ｎｍの発光層を作成し、さらに真空蒸着法により［２−（４−ｔｅｒｔ−ブチルフェニル）−５−（ビフェニル）−１，３，４−オキサジアゾール］の膜厚２０ｎｍの電子注入層を得た。その上に、マグネシウムと銀を１０：１で混合した合金で膜厚１５０ｎｍの電極を形成して有機ＥＬ素子を得た。この素子は、直流電圧５Ｖで発光輝度約３６０ｃｄ／ｍ2、発光効率２．９ｌｍ／Ｗが得られた。
【００５１】
実施例４〜２５
洗浄したＩＴＯ電極付きガラス板上に、表２に示した化合物をクロロホルムに溶解させ、スピンコーティング法により膜厚５０ｎｍの正孔注入層を得た。次いで、トリス（８−ヒドロキシキノリン）アルミニウム錯体を真空蒸着して膜厚３０ｎｍの発光層を作成し、その上に、マグネシウムと銀を１０：１で混合した合金で膜厚１００ｎｍの電極を形成して有機ＥＬ素子を得た。発光層は１０-6Ｔｏｒｒの真空中で、基板温度室温の条件下で蒸着した。この素子は、直流電圧５Ｖで表４に示した発光輝度を得た。
【００５２】
【表４】
0003640090.tif 000013
【００５３】
比較例１
正孔注入層に、Ｎ，Ｎ’−（４−メチルフェニル）−Ｎ，Ｎ’−（４−ｎ−ブチルフェニル）−フェナントレン−９，１０−ジアミンを使用する以外は、実施例２と同様の方法で有機ＥＬ素子を作成した。この素子は、直流電圧５Ｖで発光輝度約３９０ｃｄ／ｍ2、発光効率２．０ｌｍ／Ｗが得られた。
【００５４】
本実施例で示された全ての有機ＥＬ素子について、３ｍＡ／ｃｍ2で連続発光させたところ、１０００時間以上初期輝度の５０％以上の輝度を観測出来たが、比較例１の素子を同様の条件で連続発光させたところ、１００時間で初期の５０％以下の輝度になり、ダークスポットの数も極めて多くなった。
本発明の有機ＥＬ素子は発光効率、発光輝度の向上と長寿命化を達成するものであり、併せて使用される発光物質、発光補助材料、正孔輸送材料、電子輸送材料、増感剤、樹脂、電極材料等および素子作製方法を限定するものではない。
【００５５】
次に、本発明の正孔輸送材料を電子写真感光体材料として使用した場合の実施例を以下に示す。
【００５６】
実施例２６
ε型銅フタロシアニン４ｇ、化合物（６）２ｇ、ポリエステル樹脂（東洋紡：バイロン２００）１４ｇをテトラヒドロフラン８０ｇと共にボールミルで５時間分散した。この分散液をアルミニウム基板上に塗工、乾燥して、膜厚２０μｍの単層型電子写真感光体を作製した。
【００５７】
実施例２７
ジブロモアントアントロン６ｇ、化合物（８）２ｇ、ポリエステル樹脂（東洋紡：バイロン２００）１２ｇをテトラヒドロフラン８０ｇと共にボールミルで５時間分散した。この分散液をアルミニウム基板上に塗工、乾燥して、膜厚２０μｍの単層型電子写真感光体を作製した。
【００５８】
実施例２８
Ｎ，Ｎ’−ビス（２，６−ジクロロフェニル）−３，４，９，１０−ペリレンジカルボキシイミド２ｇ、ポリビニルブチラール樹脂（積水化学：ＢＨ−３）２ｇをテトラヒドロフラン９６ｇと共にボールミルで２時間分散した。この分散液をアルミニウム基板上に塗工、乾燥して、膜厚０．３μｍの電荷発生層を作製した。次に化合物（２５）１０ｇ、ポリカーボネート樹脂（帝人化成：パンライトＬ−１２５０）１０ｇをジクロロメタン８０ｇに溶解した。この塗液を電荷発生層上に塗工、乾燥して、膜厚２０μｍの正孔輸送層を形成し、積層型電子写真感光体を作製した。
【００５９】
実施例２９〜５３
τ型無金属フタロシアニン２ｇ、ポリビニルブチラール樹脂（積水化学：ＢＨ−３）２ｇをテトラヒドロフラン９６ｇと共にボールミルで２時間分散した。この分散液をアルミニウム基板上に塗工、乾燥して、膜厚０．３μｍの電荷発生層を作製した。次に表３に示した化合物１０ｇ、ポリカーボネート樹脂（帝人化成：パンライトＬ−１２５０）１０ｇをジクロロメタン８０ｇに溶解した。この塗液を電荷発生層上に塗工、乾燥して、膜厚２０μｍの正孔輸送層を形成し、積層型電子写真感光体を作製した。
【００６０】
電子写真感光体の電子写真特性は以下の方法で測定した。静電複写紙試験装置（川口電機製作所：ＥＰＡ−８１００）により、スタティックモード２、コロナ帯電は−５．２（ｋＶ）、５（ｌｕｘ）の白色光を照射して、初期表面電位（Ｖ0）、Ｖ0と２秒間暗所に放置した時の表面電位（Ｖ2）の比（暗減衰率：ＤＤ＝Ｖ2／Ｖ0）、光露光後に帯電量が初期の１／２まで減少する時間から半減露量感度（Ｅ1/2）および光露光３秒後の表面電位（ＶＲ3）を調べた。本実施例電子写真感光体の電子写真特性を表５に示す。
【００６１】
【表５】
0003640090.tif 000014
【００６２】
本実施例で示された全ての電子写真感光体は、１万回以上繰り返して使用した前後での表面電位、感度等の電子写真特性や画像濃度の変化率が２％以内であることから、安定な電子写真特性を有し高品質の画像が保持できる電子写真感光体であることがわかる。
【００６３】
比較例２
正孔輸送層に、Ｎ，Ｎ’−（４−メチルフェニル）−Ｎ，Ｎ’−（４−ｎ−ブチルフェニル）−フェナントレン−９，１０−ジアミンを使用する以外は、実施例２９〜５３と同様の方法で電子写真感光体を作製した。この電子写真感光体の電子写真特性は、初期電位（Ｖ0）＝−７００（Ｖ）、２秒後の電位保持率（ＤＤＲ2）＝９０（％）、半減露光量感度（Ｅ1/2）＝１．２（ｌｕｘ・ｓ）、３秒後の残留電位（ＶＲ3）＝−２５（Ｖ）であり、本発明の正孔輸送材料に比べて劣っていた。また、この電子写真感光体を１万回以上繰り返して使用した前後での表面電位、感度等の電子写真特性や画像濃度は１０％以上の変化率を示した。こ大きなの変化率は、不安定な電子写真特性を示し、高品質の画像が安定して得られなかった。
【００６４】
【発明の効果】
本発明により、優れた正孔輸送能力を有する化合物を得ることができた。本発
明が提供した化合物により、従来に比べて高発光効率、高輝度であり、長寿命の有機ＥＬ素子、および感度、正孔輸送特性、初期表面電位、暗減衰率等の電子写真特性に優れ、繰り返し使用に対する疲労も少ない電子写真感光体を得ることができた。